(57)【要約】【課題】省スペースで、且つ落下時の衝撃による破損が起きにくい電池固定構造を提供する。【解決手段】フロントケースとリアケースを嵌合して形成した筺体に電池を固定する、電池固定構造であって、電池の一側面と隣り合う他側面の境界近傍において、電池の一側面と所定のクリアランスを介して対向して、フロントケースに形成した第１の固定形状と、第１の固定形状に隣接してリアケースに形成した第２の固定形状と、により構成される筐体側電池固定部を配置する。筐体側電池固定部は電池の一側面と相補の形状を有し、筐体側電池固定部と電池が嵌合する。また、電池がクリアランスのなくなる方向に移動した場合に、第１の固定形状及び第２の固定形状が前記電池の一側面と当接することによって、電池の移動を抑制するようにした。【選択図】図２
2013143356.tif 000002
【特許請求の範囲】
【請求項１】
フロントケースとリアケースを嵌合して形成した筺体の内部に電池を固定する、電池固定構造であって、
前記電池の一側面と前記一側面と隣り合う他側面の境界近傍において、前記電池の一側面と所定のクリアランスを介して対向して配置した、前記フロントケースに形成した第１の固定形状と、前記第１の固定形状に隣接して前記リアケースに形成した第２の固定形状と、により構成される筐体側電池固定部を備え、
前記筐体側電池固定部は前記電池の前記一側面と相補の形状を有し、前記筐体側電池固定部と前記電池が嵌合すると共に、
前記電池が前記クリアランスのなくなる方向に移動した場合に、前記第１の固定形状及び前記第２の固定形状が前記電池の前記一側面と当接することによって、前記電池の移動を抑制する、ことを特徴とする電池固定構造。
【請求項２】
前記電池の前記一側面に対する、前記第１の固定形状と前記第２の固定形状の各々のクリアランスが略同じになるように設定されている、ことを特徴とする請求項１に記載の電池固定構造。
【請求項３】
前記電池は、前記一側面において、凹形状または凸形状である第３の固定形状を有し、
前記第１の固定形状と前記第２の固定形状は、前記第３の固定形状に対する、各々のクリアランスが略同じになるように設定され、
前記筐体側電池固定部と前記第３の固定形状が嵌合している、ことを特徴とする請求項２に記載の電池固定構造。
【請求項４】
前記リアケースは防水用のパッキンが入る溝を有する、ことを特徴とする請求項１乃至３のいずれか１項に記載の電池固定構造。
【請求項５】
前記フロントケースは、前記第２の固定形状が前記電池と対向する面と反対側の面に、前記第２の固定形状と対向して第４の固定形状を有する、ことを特徴とする請求項１乃至４のいずれか１項に記載の電池固定構造。
【請求項６】
前記第１の固定形状に板金が入り込んでいる、ことを特徴とする請求項１乃至５のいずれか１項に記載の電池固定構造。
【請求項７】
請求項１乃至６のいずれか１項に記載の電池固定構造を少なくとも１つ具備していることを特徴とする携帯端末。
【請求項８】
さらに防水材を設けたことを特徴とする請求項７に記載の携帯端末。
【発明の詳細な説明】
【技術分野】
【０００１】
本発明は、電池固定構造、及び携帯端末に関する。特に、本発明は、携帯端末に内蔵する電池を固定する電池固定構造、及び該電池固定構造を具備した携帯端末に関する。
【背景技術】
【０００２】
携帯電話機に代表される携帯端末は、一般にフロント側とリア側の２つの筐体が嵌合されていることが多い。本明細書では２つの筐体を夫々、「フロントケース」と「リアケース」と呼ぶ。また、単に「筐体」という場合は、フロントケースとリアケースを含むこととする。これらの携帯端末では、内蔵する電池を固定するため、電池固定形状が筐体に設けられている。
【０００３】
図９は、本発明に関連した比較例１の電池固定構造を示す斜視図である。また、図１０は、電池固定部分の図であり、リアケース側固定形状７と電池側固定形状９は断面図を示し、それ以外の領域では断面の奥行き方向の形状を重ねて表示している。図１０に示すように、リアケース４に形成された凸形状のリアケース側固定形状７が、電池５に形成された凹形状の電池側固定形状９と嵌合することにより、電池５を固定するようにしている。一般的な携帯端末では、比較例１のように、筐体側の固定形状をフロントケース２とリアケース４のどちらか一方のみに、設けている。
【０００４】
また、図１１は、本発明に関連した比較例２の電池固定構造を示す斜視図である。図１１に示すように、比較例２の電池固定構造は、フロントケース側２に隔壁１０をさらに設け、リアケース側固定形状７とフロントケース２側の隔壁１０の両方により、電池５を固定している。これにより、比較例２は、携帯端末の落下時に電池５から受けるストレスで破損しにくい固定構造を実現している。
【０００５】
また、特許文献１には、携帯電話端末に収納する電池パックであって、ＳＩＭカード押さえを備えた電池パックが開示されている。該電池パックは、落下時の衝撃がＳＩＭカード押さえを介して電池本体に加わることを避けるため、電池パックの隅や稜線部分にＳＩＭカード押さえよりも高さのある突起部を有している。このような構造により、ＳＩＭカード取り替え時又は電池交換時に電池パックを落としたとしても、突起部が落下の衝撃を受けることで、電池本体への衝撃を著しく軽減することを可能にしている。
【先行技術文献】
【特許文献】
【０００６】
【特許文献１】特開２００３−３３８８５８号公報
【発明の概要】
【発明が解決しようとする課題】
【０００７】
以下の分析は、本発明により与えられる。
【０００８】
しかしながら、近年の電池の大容量化に伴い、携帯端末の落下時などに電池固定形状へ加わるストレスが大きくなってきている。そのため、比較例１に示す電池固定構造の場合、リアケース側固定形状７だけでは、携帯端末に落下衝撃が加わった際に、電池の動きを押さえきれず筐体側の電池固定形状が破損する虞が生じている。
【０００９】
また、特許文献１には、電池パックを落下したときの衝撃を軽減する方法が記載されているが、携帯端末に電池を収納した状態で落下したときの衝撃の問題については、触れられていない。
【００１０】
一方、比較例２の電池固定構造は、上述したように、リアケース側固定形状７及びフロントケース側の隔壁１０の両方で電池５を固定するので、落下衝撃に対してストレスを分散することができ、電池固定形状が破損する可能性を低くすることができる。しかしながら、比較例２の隔壁１０はプリント基板３と電池５の間に配置されるため、携帯端末の筐体内において、様々なレイアウト上の制約が発生するという問題がある。
【００１１】
特に、携帯端末を薄型化や防水化する際には、レイアウト上の制約から、筐体内に比較例２の隔壁１０を設けることが難しくなってきている。例えば、図１４は、防水化対応の携帯端末である電池固定部分を示している（比較例３）。図１４に示すように、防水用のパッキン１３を設ける必要性から、ＵＩＭカード１２はフロントケース２側に配置するレイアウトとなり、スペースＳ３付近に隔壁１０を設けることができない。
【００１２】
また、防水化対応だけでなく、薄型化や多機能化に対応する際にも、他部品のレイアウトの制約から、比較例２の隔壁１０を使用することができないことが多い。そこで、携帯端末では、他部品のレイアウトに関係なく配置できる、省スペースの電池固定構造が望まれている。
【００１３】
そこで、本発明は、上記事情に鑑みてなされたものであり、省スペースで、且つ落下時などの衝撃による破損が起きにくい電池固定構造を提供することを目的とする。
【課題を解決するための手段】
【００１４】
本発明の第１の視点による電池固定構造は、フロントケースとリアケースを嵌合して形成した筺体の内部に電池を固定する、電池固定構造であって、前記電池の一側面と前記一側面と隣り合う他側面の境界近傍において、前記電池の前記一側面と所定のクリアランスを介して対向して配置した、前記フロントケースに形成した第１の固定形状と、前記第１の固定形状に隣接して前記リアケースに形成した第２の固定形状と、により構成される筐体側電池固定部を備える。ここで、前記筐体側電池固定部は前記電池の一側面と相補の形状を有し、前記筐体側電池固定部と前記電池が嵌合すると共に、前記電池が前記クリアランスのなくなる方向に移動した場合に、前記第１の固定形状及び前記第２の固定形状が前記電池の前記一側面と当接することによって、前記電池の移動を抑制する。
【００１５】
本発明の第２の視点による携帯端末は、上記第１の視点による電池固定構造を少なくとも１つ具備している携帯端末である。
【発明の効果】
【００１６】
本発明の携帯端末によれば、省スペースで、且つ落下時などの衝撃による破損が起きにくい電池固定構造を提供することが可能になる。
【図面の簡単な説明】
【００１７】
【図１】本発明の第１の実施形態に係る電池固定構造を示す斜視図である。
【図２】本発明の第１の実施形態に係る電池固定構造を示す図である。
【図３】本発明の第１の実施形態を説明するための図である。
【図４】本発明の第１の実施形態を説明するための図である。
【図５】本発明の第１の実施形態に係る携帯端末を示す分解斜視図である。
【図６】本発明の第１の実施形態の変形例に係る電池固定構造を示す図である。
【図７】本発明の第２の実施形態に係る電池固定構造を示す図である。
【図８】本発明の第３の実施形態を説明するための図である。
【図９】本発明に関連した比較例１の電池固定構造を示す斜視図である。
【図１０】本発明に関連した比較例１の電池固定構造を示す図である。
【図１１】本発明に関連した比較例２の電池固定構造を示す斜視図である。
【図１２】本発明に関連した比較例２を説明するための図である。
【図１３】図１２のＣ−Ｃ断面図である。
【図１４】本発明に関連した比較例３の電池固定構造を示す図である。
【図１５】本発明に関連した比較例４を説明するための図である。
【図１６】図１５のＢ−Ｂ断面図である。
【発明を実施するための形態】
【００１８】
まず、本発明の実施形態の概要について説明する。なお、実施形態の概要の説明において付記した図面参照符号は専ら理解を助けるための例示であり、図示の態様に限定することを意図するものではない。
【００１９】
本発明の一実施形態における電池固定構造は、図１、図２、図５のいずれかに示すように、フロントケース２とリアケース４を嵌合して形成した筺体に電池５を固定する、電池固定構造であって、電池５の一側面２１と一側面２１と隣り合う他側面２２の境界近傍において、電池の一側面２１と所定のクリアランス（図２のＣ１、Ｃ２等）を介して対向して配置した、フロントケース２に形成した第１の固定形状８と、第１の固定形状８に隣接してリアケース４に形成した第２の固定形状７と、により構成される筐体側電池固定部２０を備える。ここで、筐体側電池固定部２０は電池５の一側面２１と相補の形状を有し、筐体側電池固定部２０と電池５が嵌合すると共に、電池５がクリアランスのなくなる方向に移動した場合に、第１の固定形状８及び第２の固定形状７が電池５の一側面２１と当接することによって、電池５の移動を抑制する。
【００２０】
上記のように、電池の固定形状をフロントケース２とリアケース４に分割することで、落下などの衝撃が加わった際に、各々のケースに設けられた固定形状（第１の固定形状８、第２の固定形状７）が電池５の動きを抑制するので、衝撃によるストレスが分散され、電池の固定形状の破損を防ぐことが可能になる。
【００２１】
上記の電池固定構造において、図２に示すように、電池５の一側面２１に対する、第１の固定形状８と第２の固定形状７の各々のクリアランス（Ｃ１、Ｃ２）が略同じになるように設定されていることが好ましい。
【００２２】
上記の電池固定構造において、図２に示すように、電池５は、一側面２１において、凹形状または凸形状である第３の固定形状９（図２の場合は凹形状；図６の場合は凸形状）を有し、第１の固定形状８と第２の固定形状７は、第３の固定形状９に対する、各々のクリアランス（Ｃ１、Ｃ２）が略同じになるように設定され、筐体側電池固定部２０と第３の固定形状９が嵌合することが、好ましい。
【００２３】
上記の電池固定構造において、リアケース４は防水用のパッキン１３が入る溝を有するようにしてもよい（例えば、図１のリアケース４のスペースＳ５は、防水用のパッキン１３が当たる部分となる）。
【００２４】
上記の電池固定構造において、図８に示すように、フロントケース２は、第２の固定形状７が電池５と対向する面と反対側の面に、第２の固定形状７と対向して第４の固定形状１４を有するようにしてもよい。
【００２５】
上記の電池固定構造において、図２に示すように、第１の固定形状８に板金２ｂが入り込むようにしてもよい。
【００２６】
本発明の一実施形態における携帯端末は、上記の電池固定構造を、少なくとも１つ具備している。
【００２７】
上記携帯端末は、さらに防水材（防水用のパッキン１３等）を設けるようにしてもよい。すなわち、防水型携帯端末に上記の電池固定構造を具備する構成としてもよい。
【００２８】
以下、本発明の各実施形態について、図面を参照して詳しく説明する。
【００２９】
［第１の実施形態］
まず、第１の実施形態の構成と、比較例１〜４の構成について説明する。続いて、落下時の衝撃に対する強度の観点について、第１の実施形態を比較例１と比較しながら、説明する。次に、省スペース化の観点について、第１の実施形態を比較例２〜４と比較しながら説明する。
【００３０】
（第１の実施形態１の構成）
図５は、本発明の第１の実施形態に係る携帯端末１００の分解斜視図である。図５に示すように、携帯端末１００は、ガラス板やＬＣＤ（Ｌｉｑｕｉｄ  Ｃｒｙｓｔａｌ  Ｄｉｓｐｌａｙ）からなるＬＣＤユニット１と、ＬＣＤユニット１が取り付けられるフロントケース２と、筐体に内包されるプリント基板３と、フロントケース２と嵌合するリアケース４と、電力源である電池５と、電池５を塞ぐ電池カバー６と、を備えている。尚、フロントケース２は、樹脂２ａと板金２ｂの一体成型品である。
【００３１】
次に、第１の実施形態の電池固定構造について、図１及び図２を参照しながら説明する。図１は、電池５を固定するために設けられた筐体側電池固定部２０とその周辺部を示す斜視図である。図１に示すように、筐体側電池固定部２０は、フロントケース２に形成したフロントケース側固定形状（第１の固定形状）８と、リアケース４に形成したリアケース側固定形状（第２の固定形状）７とで構成される。図１に示すように、フロントケース側固定形状（第１の固定形状）８とリアケース側固定形状（第２の固定形状）７は、互いに隣接して配置される。
【００３２】
また、固定する電池５は、図５に示すように、直方体形状であり、４つの側面（２１〜２４）を有している。筐体側電池固定部２０が電池５を固定する位置は、省スペース化のために、電池５の隣り合う２つの側面（２１と２２、２２と２３、２３と２４、２４と２１）の境界近傍に設けられる。第１の実施形態では、固定箇所を側面２１と側面２２の境界近傍に設けている。但し、それに限定されず、複数の箇所を固定するようにしてもよい。
【００３３】
筐体側電池固定部２０は、電池５の側面２１と側面２２の境界近傍に対応した位置に、クリアランスＣ１、Ｃ２を介して電池５の側面２１に対向して配置される。図１は、そのように配置された筐体側電池固定部２０を示している。
【００３４】
また、図２に示すように、電池５は、凹形状の電池側固定形状（第３の固定形状）９を有している。一方、筐体側電池固定部２０は、凹形状の電池側固定形状９と相補の形状を有しており、筐体側電池固定部２０と電池側固定形状９は、嵌合する。また、電池側固定形状９に対する、フロントケース側固定形状（第１の固定形状）８とリアケース側固定形状（第２の固定形状）７の各々のクリアランス（Ｃ１、Ｃ２）が略同じになるように設定される。そして、落下などの衝撃で、電池５がクリアランスＣ１、Ｃ２のなくなる方向に移動した場合に、フロントケース側固定形状８とリアケース側固定形状７が、電池側固定形状９と当接することにより、電池５の移動を抑制する。
【００３５】
また、フロントケース側固定形状８は、図２に示すように、板金２ｂが部分的に入り込んでおり、板金２ｂとの密着を強固にし、強度を高めている。
【００３６】
（比較例１）
次に、比較例１の構成について、図９、図１０を参照しながら説明する。図９は、比較例１の電池固定構造を示す斜視図である。図９において、図１と同様な機能を有する構成要素には同じ参照符号を付している。図９を図１（第１の実施形態）と比較すると分かるように、比較例１の筐体側の電池固定構造は、リアケース側固定形状７のみから構成され、図１のフロントケース側固定形状８を具備していない。
【００３７】
図１０は、図９の電池固定構造の部分の図であり、リアケース側固定形状７と電池側固定形状９は断面図を示し、それ以外の領域では断面の奥行き方向の形状を重ねて表示している。図１０において、図２と同様な機能を有する構成要素には同じ参照符号を付している。図１０に示すように、リアケース４に形成された凸形状のリアケース側固定形状７が、電池５に形成された凹形状の電池側固定形状９と嵌合することにより、電池５を固定している。また、リアケース側固定形状７は、電池側固定形状９に対してクリアランスＣ３が設定されている。
【００３８】
（比較例２）
次に、比較例２の構成について、図１１〜１３を参照しながら説明する。図１１は、比較例２の電池固定構造を有する携帯端末を示す斜視図である。比較例２では、図１１に示すように筐体側の電池固定形状として、フロントケース２に形成された隔壁１０を、電池５とプリント基板３の間に設けている。また、図１０に示した比較例１のリアケース側固定形状７も設けている。それにより、フロントケース２側の隔壁１０と、リアケース４のリアケース側固定形状７の両方により、電池５を固定している。
【００３９】
また、図１２は、図１１の隔壁１０周辺部の上面図であり、図１３は、図１２のＣ−Ｃ断面図である。図１２、図１３において、１２はＵＩＭ（Ｕｓｅｒ  Ｉｄｅｎｔｉｆｙ  Ｍｏｄｕｌｅ）カード、１１はＵＩＭカードコネクタである。ここで、ＵＩＭカード１２は、携帯電話会社が発行する契約者情報を記録したＩＣカードで、携帯端末に差し込んで利用者の識別に使うものである。図１２に示すように、ＵＩＭカード１２は電池５をはずした状態のときのみ、ＵＩＭカードコネクタ１１に対する出し入れができるようになっている。
【００４０】
（比較例３）
次に、比較例３の構成について、図１４を参照しながら説明する。図１４は比較例３の電池固定構造を示す図であり、リアケース側固定形状７、電池側固定形状９は断面図を示し、それ以外の領域では断面の奥行き方向の形状を重ねて表示している。比較例３の携帯端末は、比較例１の携帯端末に防水機能を付加している。図１４を図１０（比較例１）と比較すると分かるように、図１４において、電池カバー６に設けた防水用のパッキン１３が図１０に対して追加されている。
【００４１】
（比較例４）
次に、比較例４の構成について、図１５、図１６を参照しながら説明する。比較例４は、プリント基板３が携帯端末の多機能化につれて大きくなり、比較例１におけるプリント基板３の配置を、変更したものである。図１５は、プリント基板３の上面図である。図１６は、図１５のＢ−Ｂ断面図である。図１６に示すように、プリント基板３は、電池５と平面的に重なるように配置される。
【００４２】
（落下時の衝撃に対する強度について）
次に、上記した第１の実施形態と比較例１の構成の違いから生ずる動作の違いについて、説明する。まず、第１の実施形態に係る携帯端末１００が落下したことを想定する。筐体側電池固定部２０に最も大きなストレスが発生するのは、筐体側電池固定部２０が電池５より先に接地する姿勢で落下する場合である。図３にその落下方向を矢印で示す。また、本実施形態では、携帯端末１００のＬＣＤユニット１の表示画面を正面とすると、携帯端末の上端から接地する姿勢が最も大きなストレスが発生する姿勢となる。図５にも、図３に示す落下方向を矢印で示している。
【００４３】
但し、第１の実施形態では、図３、図５に示す落下方向が、筐体側電池固定部２０に最も大きなストレスが加わることになるが、筐体側電池固定部２０を別の位置に配置した場合には、最も大きなストレスが加わるのは別の姿勢になる。
【００４４】
図３は、携帯端末１００を落下し、筐体が接地した時の当該部分の図であり、フロントケース側固定形状８、リアケース側固定形状７、電池側固定形状９、及びリアケース４のうちの断面部分は断面図を示し、それ以外の領域では断面の奥行き方向の形状を重ねて表示している。図３に示すように、携帯端末１００の筐体が接地した時点では、クリアランスＣ１、Ｃ２により、電池５は未だ落下中であり、その後、電池側固定形状９と筐体側電池固定部２０が衝突する。図４は、電池側固定形状９と筐体側電池固定部２０が衝突した状態の図である。図３に示すクリアランスＣ１とクリアランスＣ２が略同じになるように設定しているので、図４に示すように、クリアランスＣ１とクリアランスＣ２は略同時に０になり、フロントケース側固定形状８とリアケース側固定形状７が電池固定形状９に当接し、電池５からのストレスを受け、電池５の移動を抑制する。このようにして、各々の固定形状（フロントケース側固定形状８、リアケース側固定形状７）に発生するストレスが分散される。
【００４５】
一方、比較例１の電池固定構造を有する携帯端末が落下した場合を考えると、携帯端末の筐体が接地した時点では、クリアランスＣ３により電池５は未だ落下中であり、その後、電池側固定形状９とリアケース側固定形状７が衝突する（電池側固定形状９とリアケース側固定形状７が衝突したときの図は不図示）。比較例１の場合には、落下時に電池５をリアケース側固定形状７のみで受けることになる。
【００４６】
以上説明したように、第１の実施形態と比較例１を比較すると、第１の実施形態では、落下時にフロントケース２とリアケース４の両方で電池５からの衝撃を受けるようにすることができるため、リアケース４のみで電池５からの衝撃を受ける比較例１に比べて、破損の可能性が低い電池固定構造を提供することができる。
【００４７】
また、第１の実施形態のほうが、比較例１に比べて、固定形状の断面積を大きく取ることができる。具体的には、第１の実施形態では、フロントケース側固定形状８が電池側固定形状９と落下時に当接する部分の面積だけ、固定形状の断面積を大きくすることができる。従って、第１の実施形態は、落下時に電池５からのストレスに対して強くすることができ、破損の可能性が低い電池固定構造を提供することができる。
【００４８】
さらに、第１の実施形態では、フロントケース側固定形状８に板金２ｂを部分的に入り込ませることにより、板金２ｂとの密着度を強固にし、強度を高めたので、落下時に電池５から受けるストレスに対する耐性が向上し、破損の可能性が低い電池固定構造を提供することができる。
【００４９】
（省スペース化について）
次に、比較例２の隔壁１０の問題点について説明する。比較例２の隔壁１０は、前述のように落下時の衝撃に対しては強いという利点を持っているが、使用に当たり、レイアウト上の制約が多いという問題がある。例えば、比較例２の携帯端末は防水機能付き携帯端末に適用することができない。その理由は、防水機能を持たせるためには、図１３のスペースＳ２に防水用のパッキンを設けることが必要になるが、防水用のパッキン１３をスペースＳ２に設けると、電池５をはずした状態でのＵＩＭカード１２の出し入れができなくなってしまう。
【００５０】
また、比較例２の隔壁１０を配置した場合は、ＵＩＭカードコネクタ１１とＵＩＭカード１２のレイアウトは、図１３に示す位置に限定されてしまう。例えば、ＵＩＭカードコネクタ１１をフロントケース２側に配置しようとすると、隔壁１０と隣り合う配置になってしまうため、電池５をはずした状態でのＵＩＭカード１２の出し入れができなくなってしまう。従って、ＵＩＭカードコネクタ１１は、図１３に示すように、隔壁１０よりもリアケース４側に配置しなければならないという制約が発生する。
【００５１】
また、比較例３では、防水機能を付加したため、図１４に示すように、ＵＩＭカード１２は、電池５をはずした時にのみ出し入れができるように、電池カバー６に設けられた防水用のパッキン１３の下を潜るように実装される。そのため、図１４に示すスペースＳ３（但し、スペースＳ３は携帯端末の幅方向の中央部である）の位置には、ＵＩＭカード１２を出し入れする必要性から、比較例２の隔壁１０を配置することができない。
【００５２】
以下に上述した比較例２、比較例３における防水機能対応と電池固定構造に関して、に纏める。まず、比較例２の隔壁１０を使用する電池固定構造は、防水機能の携帯端末に適用することができない。一方、比較例３の電池固定構造は、防水機能に対応することができるが、隔壁１０を設けることができない。そのため、図１４に示すように、リアケース側固定形状７のみで、落下時の電池５からのストレスを受けることになり、比較例１と同様に、電池固定形状が破損する虞が生じるという問題がある。
【００５３】
また、比較例４のように、多機能化などによりプリント基板３が大きくなり、プリント基板３が電池５と平面的に重なる配置になるようした場合には、スペースＳ４（図１６）の位置に比較例２の隔壁１０を設けることはできない。何故なら、スペースＳ４の位置にはプリント基板４が通っているためである。
【００５４】
以上、比較例３〜４のように、防水化や多機能に対応する場合には、比較例２の隔壁１０は、他部品のレイアウトの制約により配置することができないことが分かる。すなわち、比較例２の隔壁１０による電池固定構造は、使用できる条件が、かなり限定されてしまう。一方、第１の実施形態の電池固定構造は、筐体側電池固定部２０（フロントケース側固定形状８、リアケース側固定形状７を含む）が、他部品のレイアウトと関係しない位置に配置されている。具体的には、筐体側電池固定部２０は、電池５の隣り合う２つの側面の境界近傍を固定することにより、他部品のレイアウトと関係しない省スペースな構造を実現している。
【００５５】
以上説明したように、第１の実施形態に係る電池固定構造によれば、省スペースで、且つ落下時などの衝撃による破損が起きにくい電池固定構造を提供することが可能になる。
【００５６】
（第１の実施形態の変形例）
次に、第１の実施形態の変形例について、図６を参照しながら説明する。図６は第１の実施形態の変形例に係る電池固定構造を示す図である。図６を図２（第１の実施形態）と比較すると分かるように、図６において、電池側固定形状（第３の固定形状）９は、凸形状であり、筐体側電池固定部２０は、上記凸形状と相補の形状を有し、電池５と嵌合している。そして、電池固定形状９に対して、フロントケース側固定形状（第１の固定形状）８とリアケース側固定形状７（第２の固定形状）は、各々のクリアランス（Ｃ１、Ｃ２）が略等しくなるように設定されている。
【００５７】
第１の実施形態の変形例の場合にも、図３〜４で説明したように、携帯端末の落下時等に、略同時に各々のクリアランスＣ１、Ｃ２が０になり、フロントケース側固定形状８とリアケース側固定形状７が電池固定形状９に当接して電池５からのストレスを受け、電池５の移動を抑制する。このようにして、各々の固定形状（フロントケース側固定形状８、リアケース側固定形状７）に発生するストレスが分散される。従って、第１の実施形態と同様な効果が得られる。
【００５８】
［第２の実施形態］
（第２の実施形態の構成）
次に、本発明の第２の実施形態について、図７を参照しながら説明する。第２の実施形態に係る携帯端末は、第１の実施形態に係る携帯端末１００に対して、さらに防水機能を設けたものである。図７は、第２の実施形態に係る携帯端末において、電池５を固定する部分を示す図であり、フロントケース側固定形状８、リアケース側固定形状７、電池側固定形状９、リアケース４のうちの断面部分は断面図を示し、それ以外の領域では断面の奥行き方向の形状を重ねて表示している。尚、図７において、図２（第１の実施形態）と同様の機能を有する構成要素には、同じ参照符号を付し、説明を省略する。図７を図２（第１の実施形態）と比較すると分かるように、図７において、電池カバー６に防水用のパッキン１３が設けられ、電池カバー６でリアケース４を遮蔽した時に、防水用のパッキン１３が防水機能を果たすように構成されている。
【００５９】
また、図７において、防水用のパッキン１３を設けるため、防水用のパッキン１３下のＳ１の部分ではリアケース４を削除している（図７において、スペースＳ１の上部に描かれているものは奥側にあるリアケース４であり、防水用のパッキン１３下にはリアケース４は存在しない）。それにより、この部分にもプリント基板３を配置できることになり、薄型化も実現している。第１の実施形態で説明したように、筐体側電池固定部２０がフロントケース２とリアケース４の両方で、電池５からの衝撃を受けるようにしているため、防水用のパッキン１３下のＳ１の部分のリアケース４を削除しても、落下時の衝撃に対し十分な強度が得られる。
【００６０】
また、比較例３で説明したように、比較例３では、防水化の際に比較例２の隔壁１０を設けることができないため、落下時の衝撃をリアケース側固定形状７のみで受けることになり、固定形状が破損する虞があった。一方、第２の実施形態による電池固定形状を具備した防水化用の携帯端末では、落下時の衝撃による電池５をフロントケース側固定形状とリアケース側固定形状７の両方で受けることができるため、第１の実施形態と同様に、落下時の衝撃などにより破損しにくい電池固定形状を提供することができる。
【００６１】
以上説明したように、第１の実施形態と同様の効果が得られる。さらに、第２の実施形態の電池固定構造によれば、防水機能対応で、薄型化した携帯端末に適用可能な電池固定構造を提供することができる。
【００６２】
また、実施形態２においても、図２（実施形態１）に示すように、フロントケース側固定形状８に板金２ｂを部分的に入り込むようにすることにより、板金２ｂとの密着度を強固にして強度を高めることができる。
【００６３】
（第３の実施形態）
次に、第３の実施形態について説明する。図８は第３の実施形態に係る電池固定構造を示す断面図である。尚、図８において、図７（第２の実施形態）と同様の機能を有する構成要素には、同じ参照符号を付し、説明を省略する。図８を図７（第２の実施形態）と比較すると分かるように、図８において、リアケース側固定形状支持部（第４の固定形状）１４が新たに追加されている。
【００６４】
図８に示すように、リアケース側固定形状支持部１４は、リアケース側固定形状７が電池５と対向する面の反対側の面に、リアケース側固定形状７と対向して配置される。リアケース側固定形状支持部１４は、フロントケース２で形成してもよいし、別の部品で形成してもよい。
【００６５】
以上説明したように、第３の実施形態に係る電池固定構造によれば、第１の実施形態の効果に加えて、さらに、リアケース側固定形状支持部１４を設けたことで、リアケース側固定形状７と電池側固定形状９の衝突でリアケース側固定形状７に生じる撓みを抑えることできる。
【００６６】
一方、フロントケース側固定形状８には、第１の実施形態と同様に、板金２ｂを部分的に入り込むようにすることにより、板金２ｂとの密着を強固にし、強度を高めることができる。
【産業上の利用可能性】
【００６７】
本発明の電池固定構造は、携帯端末に適用し、携帯端末が落下した時に衝撃を受けても、筐体側電池固定部が破損しにくいようにすることができる。また、携帯端末に限らず、２つの筐体を嵌合した筐体構造で、電池を内蔵する様々な電子機器に適用することも可能である。
【００６８】
なお、本発明の全開示（請求の範囲及び図面を含む）の枠内において、さらにその基本的技術思想に基づいて、実施形態の変更・調整が可能である。また、本発明の請求の範囲の枠内において種々の開示要素（各請求項の各要素、各実施形態の各要素、各図面の各要素等を含む）の多様な組み合わせないし選択が可能である。すなわち、本発明は、請求の範囲及び図面を含む全開示、技術的思想にしたがって当業者であればなし得るであろう各種変形、修正を含むことは勿論である。
【符号の説明】
【００６９】
１： ＬＣＤユニット
２：フロントケース
２ａ：（フロントケースの）樹脂
２ｂ：（フロントケースの）板金
３：プリント基板
４：リアケース
５：電池
６：電池カバー
７：リアケース側固定形状（第２の固定形状）
８：フロントケース側固定形状（第１の固定形状）
９：電池側固定形状（第３の固定形状）
１０：隔壁
１１：ＵＩＭカードコネクタ
１２：ＵＩＭカード
１３：防水用のパッキン
１４：リアケース側固定形状支持部（第４の固定形状）
２０：筐体側電池固定部
２１、２２、２３、２４：（電池の）側面
３１：メモリカードアダプタ
３２：メモリカード
１００：携帯端末
Ｃ１、Ｃ２、Ｃ３：クリアランス
【図５】
2013143356.tif 000003
【図１】
2013143356.tif 000004
【図２】
2013143356.tif 000005
【図３】
2013143356.tif 000006
【図４】
2013143356.tif 000007
【図６】
2013143356.tif 000008
【図７】
2013143356.tif 000009
【図８】
2013143356.tif 000010
【図９】
2013143356.tif 000011
【図１０】
2013143356.tif 000012
【図１１】
2013143356.tif 000013
【図１２】
2013143356.tif 000014
【図１３】
2013143356.tif 000015
【図１４】
2013143356.tif 000016
【図１５】
2013143356.tif 000017
【図１６】
2013143356.tif 000018